(57)【要約】【課題】複数のパネル体を連結してなるドア体において、ドア体の断熱性能が高められるように構成する。【解決手段】上下方向に隣接するパネル体３同士を、板厚方向一方に設けた丁番１３を介して連結し、パネル体３同士が屈曲する屈曲姿勢と直線状となる直線姿勢とに揺動変姿自在とするとともに、隣接するパネル体３の上、下側端面９ｂ、９ｃ同士を、前記直線姿勢で板厚方向に係合する山形面を備えた係合突部と係合凹部とに構成し、前記上、下側端面９ｂ、９ｃとの間に、左右両端部に位置してそれぞれ弾性変形自在な第一、第二気密シート部材１４、１５を介装する構成とする。【選択図】図３
2010047900.tif 000002
【特許請求の範囲】
【請求項１】
所定板厚を有した複数のパネル体を上下方向に連結したドア体が、垂直部と湾曲部と水平部とを備えた左右一対のガイドレールを移動自在に走行してなる建築用開閉装置において、隣接するパネル体同士を、板厚方向一方に設けた揺動支軸を介して連結し、パネル体同士が屈曲する屈曲姿勢と直線状となる直線姿勢とに揺動変姿自在とするとともに、上下に隣接するパネル体の板厚面同士に、前記直線姿勢で板厚方向に係合する山形面を備えた係合突部と係合凹部とをそれぞれ形成するにあたり、前記係合突部と係合凹部との間には、左右両端部に位置してそれぞれ弾性変形自在な気密部材が介装されている建築用開閉装置におけるパネル体構造。
【請求項２】
ドア体は、ガイドレール垂直部の上方に設けた巻取りドラムに巻装される索体の遊端が下端部の左右両端部にそれぞれ連結され、ガイドレール垂直部に繰出されたドア体を前記索体が吊持する構成とし、気密部材は索体による吊持力を受けて弾性変形するように構成されている請求項１に記載の建築用開閉装置におけるパネル体構造。
【請求項３】
気密部材は、係合突部の頂部を跨ぎ、板厚方向両側の山形面に至るように設けられている請求項１または２に記載の建築用開閉装置におけるパネル体構造。
【請求項４】
気密部材は、係合突部に設けられるシート状のものとし、該係合突部の突出基端側ほどパネル体の左右方向内方に延出して幅広となり、係合突部の頂部ほど左右方向外方に偏寄して幅狭に設けられている請求項３に記載の建築用開閉装置におけるパネル体構造。
【発明の詳細な説明】
【技術分野】
【０００１】
本発明は、工場や倉庫等の開口部に設けられる建築用開閉装置におけるパネル体構造の技術分野に属するものである。
【背景技術】
【０００２】
一般に、建築用開閉装置のなかには、所定板厚を有した複数のパネル体を上下方向に連結したドア体が、直線部と湾曲部と水平部とを備えた左右一対のガイドレールに沿って移動自在に走行するよう構成したものがあり、この場合に、ドア体は、上下方向に隣接するパネル体同士を板厚方向一方に設けた揺動支軸により連結し、ガイドレール湾曲部を走行（移動）する場合では隣接するパネル体同士が互いに屈曲（揺動）する屈曲姿勢となり、ガイドレール直線部を走行する場合では隣接するパネル体同士が互いに直線状となる直線姿勢となるように構成されている。このように構成されるドア体は、隣接するパネル体同士が直線姿勢となったときに板厚方向に位置ズレを生じないための構成が必要となる。さらには、隣接パネル体同士が屈曲姿勢から直線姿勢に変姿する場合に、板厚面同士の板厚方向他方（揺動支軸配設部の反対側）側部位のあいだが離間する状態から近接対向（当接）する状態となることから該部位に指を挟まれる惧れがあり、これを防止するための構成が必要となる。
【０００３】
このような要求を解決する構成の一つとして、隣接するパネル体の板厚方向一方に揺動支軸を設けるとともに、上下方向に隣接する板厚面のうち、下側のパネル体の上部板厚面（上端面）の板厚方向中間部に、上側のパネル体側に突出する山形面を備えた係合突部を形成する一方、上側のパネル体の下部板厚面（下端面）の板厚方向中間部に、前記係合突部が係合する係合凹部を形成して、係合凹部における板厚方向他方の山形面が係合突部の突面に沿って揺動するように構成して、直線姿勢での板厚方向の位置ズレの防止を図るようにしたものが提唱されている。さらに、この場合に、板厚方向他方側における係合凹部の端縁部と係合突部の突出基端縁部とのあいだに指挟みを生じない隙間を形成し、パネル体同士がガイドレール湾曲部を移動する屈曲姿勢では、係合突部が外部に露出して指が板厚面の奥側に入り込むのを防止し、パネル体同士が直線状となる直線姿勢では、係合凹部の前記端縁部と係合突部の突出基端縁部とのあいだの隙間により指挟みが生じないようにしたものが提唱されている。
【特許文献１】特許公報第２８６８２５３号
【発明の開示】
【発明が解決しようとする課題】
【０００４】
一方、このような開閉装置において、ドア体により仕切られた内外の空間をそれぞれ断熱するようドア体に断熱機能を付与することがあり、この場合では、上下一対のパネル体の連結部における気密性が強く要求される。ところで、前記従来のもののように、揺動支軸を支点として係合凹部と係合突部とが嵌合状の係合をする場合、該揺動作動を円滑、かつ、確実にするため、係合突部と係合凹部との板厚方向のあいだに所定の隙間が必要となり、該隙間は、パネル体同士が直線姿勢となった状態で係合突部と係合凹部との山形面同士のあいだに形成されている。このような隙間は、ドア体のガタつきの要因となるばかりでなく、ドア体により閉鎖された空間の内外における断熱性能を低下させるため、前記従来のものでは、係合突部の板厚方向他方の山形面に左右方向に長い気密部材（封止部材）を設けて内外方向に連通する隙間に対する断熱対策が施されている。しかるに、前記従来のドア体は、各パネル体の連結部において、封止部材がドア体の左右両端部にまで設けられたとしても、係合突部と係合凹部との間に形成される隙間が左右方向に貫通する状態で形成されており、該隙間の左右両端部が、ドア体により仕切られた内側空間に開口した状態となっている。このため、前記隙間の左右両端部の開口を介して内側空間の空気が隙間の左右方向内方に向けて流入し、連結部の左右両端部における断熱を損ない、結露を発生する等の問題が生じることが考えられるが、これについての対策は何ら示唆されておらず、ここに本発明の解決すべき課題がある。
【課題を解決するための手段】
【０００５】
本発明は、上記の如き実情に鑑みこれらの課題を解決することを目的として創作されたものであって、請求項１の発明は、所定板厚を有した複数のパネル体を上下方向に連結したドア体が、垂直部と湾曲部と水平部とを備えた左右一対のガイドレールを移動自在に走行してなる建築用開閉装置において、隣接するパネル体同士を、板厚方向一方に設けた揺動支軸を介して連結し、パネル体同士が屈曲する屈曲姿勢と直線状となる直線姿勢とに揺動変姿自在とするとともに、上下に隣接するパネル体の板厚面同士に、前記直線姿勢で板厚方向に係合する山形面を備えた係合突部と係合凹部とをそれぞれ形成するにあたり、前記係合突部と係合凹部との間には、左右両端部に位置してそれぞれ弾性変形自在な気密部材が介装されている建築用開閉装置におけるパネル体構造である。
請求項２の発明は、ドア体は、ガイドレール垂直部の上方に設けた巻取りドラムに巻装される索体の遊端が下端部の左右両端部にそれぞれ連結され、ガイドレール垂直部に繰出されたドア体を前記索体が吊持する構成とし、気密部材は索体による吊持力を受けて弾性変形するように構成されている請求項１に記載の建築用開閉装置におけるパネル体構造である。
請求項３の発明は、気密部材は、係合突部の頂部を跨ぎ、板厚方向両側の山形面に至るように設けられている請求項１または２に記載の建築用開閉装置におけるパネル体構造である。
請求項４の発明は、気密部材は、係合突部に設けられるシート状のものとし、該係合突部の突出基端側ほどパネル体の左右方向内方に延出して幅広となり、係合突部の頂部ほど左右方向外方に偏寄して幅狭に設けられている請求項３に記載の建築用開閉装置におけるパネル体構造である。
【発明の効果】
【０００６】
請求項１の発明とすることにより、各パネル体の直線姿勢において、連結部における気密性が高められて優れた断熱性能を備えたドア体を提供できる。
請求項２の発明とすることにより、気密性の一層の向上が図れるとともに、気密部材によりパネル体が浮くような不具合を防止できる。
請求項３の発明とすることにより、気密部材が剥離されにくく、高い気密性を維持できる。
請求項４の発明とすることにより、機能に合わせた形状として、気密部材を効率よく用いることができる。
【発明を実施するための最良の形態】
【０００７】
つぎに、本発明の第一の実施の形態について、図面に基づいて説明する。
図面において、１はオーバーヘッド式の建築用開閉装置であって、該建築用開閉装置１を構成するドア体（開閉体）２は、後述するように、複数枚の左右方向長尺状のパネル体３を上下方向に連結して構成されるが、隣接するパネル体３同士は、後述するように互いに揺動自在（屈曲自在）に連結されている。さらに、パネル体３の左右両端部には、ドア体２の内側面よりも内方に位置し、かつ、左右方向外方に突出する状態でガイドローラ３ａがそれぞれ設けられている。そして、躯体開口部には左右一対のガイドレール４が設けられているが、各ガイドレール４は、開口部の左右両端部に設けられる直線状の垂直レール４ａ（本発明の垂直部に相当する）と、開口部奥側の天井部に設けられる直線状の水平レール４ｂ（本発明の水平部に相当する）と、これら各レール４ａ、４ｂのあいだを連結する湾曲状のＲ状レール４ｃ（本発明の湾曲部に相当する）とを備えて構成されている。そして、前記ガイドレール４の各レール４ａ、４ｂ、４ｃには連通状のガイド溝４ｄが形成されており、該ガイド溝４ｄを、前記各パネル体３の左右に設けられたガイドローラ３ａが移動自在に走行するように構成されている。
【０００８】
５は、開口部上方に回転自在に支持される回転軸であって、該回転軸５の左右両端部には一対のワイヤドラム（本発明の巻取りドラムに相当する）５ａが回転軸５と一体回転する状態で外嵌固定されており、これらワイヤドラム５ａに巻装される各ワイヤ（本発明の索体に相当する）５ｂの遊端は、ドア体２を構成する各パネル体３のうち、最下端に位置する最下端パネル体３ｂの左右両端部にそれぞれ設けられた連結部材３ｃに連結されている。そして、回転軸５が正逆回転することに伴いワイヤドラム５ａが回転すると、ワイヤドラム５ａからワイヤ５ｂが巻出し、巻戻しされ、これによって、ドア体２は、ガイドレール４に案内される状態で移動して、垂直レール４ａに位置して開口部を閉鎖する全閉姿勢と、水平レール４ｂに位置して開口部を開放する全開姿勢とのあいだを移動するように構成されている。
この開閉移動の過程において、ドア体２は、ガイドレール４のＲ状レール４ｃを移動する場合では、隣接するパネル体３同士が適宜揺動角度を存して揺動して互いに屈曲する屈曲姿勢となり、垂直レール４ａ、水平レール４ｂを移動する場合では、隣接するパネル体３同士が直線状に連結する直線姿勢となるように揺動変姿するように構成されている。そして、ドア体２の荷重は、水平レール４ｂに位置する部位は水平レール４ｂが受け止め、ドア体２の閉鎖作動がなされて最下端パネル体３ｂから順次パネル体３が垂直レール４ａに繰出され、最下端パネル体３ｂの上方に積層される状態となると、該繰出されたパネル体３の荷重は、最下端パネル体３ｂに連結されたワイヤ５ｂに吊持された状態となって、ワイヤ５ｂを介して回転軸５側（躯体側）に受け止められるように構成されている。
【０００９】
一方、前記回転軸５は、開口部上方の躯体に複数固定された支持ブラケット６に回転自在に軸承されている。そして、回転軸５と開口部内方に設けられる一対の支持ブラケット６とのあいだには一対のバランス弾機７がそれぞれ介装されている。これらバランス弾機７は、回転軸５がドア体２を閉鎖する方向に回転することにより蓄勢力が付与されるように設定されており、該蓄勢力は、ドア体２の開閉作動の過程で、ワイヤ５ｂに作用するドア体２の荷重、即ち、垂直レール４ａに繰出されたパネル体３の荷重にバランスするように設定されている。そして、ドア体２は、手動による開閉操作がなされることに伴い回転軸５が正逆回転して開閉作動がなされるが、閉鎖操作がなされた場合ではドア体２の自重に基づく閉鎖作動がなされて軽快な閉鎖操作がなされ、開放操作ではドア体２の閉鎖作動において蓄勢されたバランス弾機７の蓄勢力を受けて軽快な開放操作がなされるように構成されている。
【００１０】
そして、本実施の形態のドア体２は、該ドア体２により仕切られる内外の空間を断熱するべく断熱機能が付与されたものに構成されており、各パネル体３には本発明が実施された断熱構成が実施されている。
ここで、各パネル体３の構成について説明するにあたり、パネル体３は、ガイドレール４の垂直レール４ａ、水平レール４ｂ、Ｒ状レール４ｃの各部位の案内状態に対応して姿勢を変化するが、図３に示すパネル体３の姿勢を基準として説明する。
前記パネル体３は、金属製板材で構成される内外一対（板厚方向一対）の面板８、９と、これらのあいだに介装される断熱性能を備えた充填材１０とを備えて構成されている。
【００１１】
前記内外面板８、９のうち、外面板９は、外側の空間に向く面となる外側面９ａを備えて形成されており、該外側面９ａから上下方向に延出する上下端部を折曲することにより、板厚方向の面となる上下一対の上、下側端面９ｂ、９ｃが一体に形成されている。前記上側端面９ｂは、上方に突出する山形面（傾斜面）を備えた係合突部に形成されており、外側を向く傾斜面の上下方向中間部には、左右方向に貫通する長尺状の嵌合溝部９ｄが形成されており、該嵌合溝部９ｄの上下に、上部外側傾斜面９ｅと下部外側傾斜面９ｆとが形成されている。さらに、上側端面９ｂは、外側傾斜面９ｅの上端部となる頂部９ｇに続いて内側傾斜面９ｈが形成されており、該内側傾斜面９ｈの内側端部には、下方に延出する突当て片９ｉが形成されている。そして、前記左右方向全長にわたって形成される長尺状の嵌合溝部９ｄには、封止部材１１の基端部１１ａが外側への抜止めがなされた状態で嵌合するように構成されている。
また、外面板９に折曲形成される下側端面９ｃは、前記山形状の係合突部である上側端面９ｂが嵌入するべく上方に突出する山形面（傾斜面）を備えた係合凹部に形成されているが、該下側端面９ｃは、外側を向く凹部外側傾斜面９ｊと、内側を向く凹部内側傾斜面９ｋと、これらの間に位置し上側端面９ｂの頂部９ｇに対向して水平状に形成された凹部底面９ｍとを備えて構成されている。さらに、下側端面９ｃの凹部内側傾斜面９ｋの内側端部には、上方に延出する突当て片９ｎが形成されている。
【００１２】
一方、内面板８には、内側の空間に向く面となる内側面８ａを備えて形成されており、該内側面８ａの上端部には下方に延出する突当て片８ｂが形成され、内側面８ａの下端部には上方に延出する突当て片８ｃが形成されている。
そして、内外面板８、９の上下の突当て片８ｂと９ｉ同士、８ｃと９ｎ同士とをそれぞれ内外方向に積層する状態で突当て、これらの間を適宜一体化手段を用いて一体化し、内側面８ａ、外側面９ａ、上側端面９ｂ、下側端面９ｃとに囲繞される空間に断熱性の高い充填材１０を充填することにより、高い断熱性を備えたパネル体３が形成されるように構成されている。尚、１２は各パネル体３の左右両端部にそれぞれ嵌着される平面視コ字形状の縦框であって、これら縦框１２は、内、外側面８ａ、９ａに沿って設けられるが、外側の上端部については、封止部材１１の下方に位置する下部外側傾斜面９ｆに対向する部位にまで延出されており、該縦框１２と下部外側傾斜面９ｆとの間に左右方向長尺状の隙間が形成されている。
【００１３】
このように構成された各パネル体３は、一対のパネル体３を上下方向に隣接させ、左右方向複数箇所において配設される丁番１３により屈曲自在（揺動自在）に連結されるが、これら丁番１３は、上下一対の取り付け片１３ａと、揺動支軸となる枢支ピン１３ｂとを備えて構成されている。そして、各丁番１３の一対の取り付け片１３ａを、上下のパネル体３の内側面８ａに螺子１３ｃを用いてそれぞれ固定することにより、隣接パネル体３同士は、パネル体３の板厚方向一方である内側において連結されている。これによって、隣接するパネル体３同士は枢支ピン１３ｂを揺動支点として揺動し、屈曲姿勢では、外側面９ａ同士のあいだが互いに離間して、下側に位置するパネル体３の上側端面９ｂである係合突部の各傾斜面９ｅ、９ｆ、９ｈが外部に露出し、直線姿勢では、各傾斜面９ｅ、９ｆ、９ｈとが下側端面９ｃである係合凹部に嵌合して板厚方向の係合がなされ、これによって、パネル体３同士の直線姿勢において、パネル体３同士が内外方向に位置ズレするのが防止されるように構成されている。
【００１４】
ここで、隣接するパネル体３同士の直線姿勢において、縦框１２同士下側端面９ｃの凹部外側傾斜面９ｊは、上側端面９ｂの下部外側傾斜面９ｆの上方部位までを覆う状態となり、この状態で、縦框１２の外側面における上下端縁同士が突当たるように構成されている。これによって、上部外側傾斜面９ｅと下部外側傾斜面９ｆとの間に設けられる封止部材１１は、先端部１１ｂが凹部外側傾斜面９ｊに摺接して内外方向に連通する隙間を封止して、ドア体２の内外空間の空気の流れを断って断熱が図れるように構成されている。さらに、前記直線姿勢において、隣接するパネル体３の外側面９ａ同士の間には、下部外側傾斜面９ｆの下方部位が外部に露出することにより外側面９ａ同士の間に空隙部Ｈが形成されており、該空隙部Ｈが指挟み防止のための隙間となっている。
【００１５】
そして、ドア体２が開口部を全閉姿勢とする状態であり、パネル体３が垂直レール４ａに直線姿勢となって位置する状態において、上側端面９ｂである係合突部と下側端面９ｃである係合凹部との間には、屈曲姿勢と直線姿勢との間の揺動変姿を円滑にするための隙間が左右方向全長にわたって貫通状に形成されているとともに、前記指挟みを防止するための空隙部Ｈが左右方向全長に亘って貫通状に形成されている。
一方、パネル体３の左右両端部は、図５（Ａ）に示すように、開口部を構成する躯体Ｂの内側に位置して配設されており、垂直レール４ａは、躯体Ｂを構成する左右側部の上下方向複数箇所に固定された支持部４ｅに固定される構成となっていて、垂直レール４ａ材近傍の空気は、前記上下側端面９ｂ、９ｃの間に形成された左右方向貫通状の隙間であって、揺動変姿用の隙間、指挟み防止用の隙間の左右両端部から左右方向内方に向けて浸入しやすい状態となっている。このため、内外方向に連通する隙間を封止部材１１により封止したとしても、各パネル体３（ドア体２）の左右両端部における断熱が損なわれ、特に、本実施の形態のように、上、下側端面９ｂ、９ｃが金属材で形成されている場合では、これらがヒートブリッジとなって、内外空間の温度差に基づいて高温側の面に結露が生じるほどの断熱性の低下が想定される。
【００１６】
これに対し、各パネル体３の左右両端部の縦框１２が配設される部位であって、ドア体２の全閉姿勢において、ワイヤドラム５ａから繰出されたワイヤ５ｂ遊端部が連結される連結部材３ｃが配設される部位の直上となる部位に位置して気密部材が設けられている。つまり、各パネル体３の上側端面９ｂの上部外側傾斜面９ｅから係合突部の頂部９ｇを経由して内側傾斜面９ｈの上方部位に至る部位の左右両端部に、弾性変形が自在なシート状の気密材である第一気密シート１４が貼着等の一体化手段により一体的に設けられている。さらに、上側端面９ｂの下部外側傾斜面９ｆの下方部位の左右両端部であって、指挟み防止用の空隙部Ｈに相当する縦框１２の内側部位から封止部材１１の下方に至る部位に、弾性変形が自在なシート状の気密材である第二気密シート１５が貼着等の一体化手段により一体的に設けられている。これによって、隣接するパネル体３同士が直線姿勢になることにより、上、下側端面９ｂ、９ｃ同士の連結部の左右両端部に形成される隙間が第一、第二気密シート１４、１５によりそれぞれ塞がれて、垂直レール４ａ近傍の空気が隙間の端部から左右方向内方に向けて流入することがなく、該部位における断熱性能が高められるように構成されている。
さらに、前記第一気密シート１４のシート厚は、弾性変形していない自然状態において、隣接するパネル体３が直線姿勢となったときに上、下側端面９ｂ、９ｃとの間に形成される隙間の寸法よりも厚い寸法に設定されている。そして、後述するように、垂直レール４ａに繰出されてワイヤ５ｂに吊持された状態になることにより、該ワイヤ５ｂによる吊持力を受けて第一気密シート１４が押し潰された状態に弾性変形するように構成されており、これによって、第一気密シート１４が設けられない左右方向中間部において、パネル体３の下側端面９ｃが上側端面９ｂから浮いたようになって、封止部材１１による上、下側端面９ｂ、９ｃ同士の間の封止が損なわれることがないように構成されている。
また、第二気密シート材１５のシート厚は、弾性変形していない自然状態において、縦框材１２と下部外側傾斜面９ｆとの間に嵌入可能なシート厚であればよく、これらの間に隙間がないように設けることも可能である。そして、パネル体３の直線姿勢において、第二気密シート１５は、上端縁部が下側端面９ｃの凹部外側傾斜面９ｊの下端部により押し潰されるように弾性変形して上、下側端面９ｂ、９ｃ同士の間を封止するように構成されている。
【００１７】
つぎに、上下方向に隣接する各パネル体３同士の揺動変姿作動における第一、第二気密シート１４、１５の状態について、図６（Ａ）、（Ｂ）、（Ｃ）の図面に基づいて説明する。
ここで、上側端面９ｂは、丁番１３の枢支ピン１３ｂを揺動支点として揺動変姿するように構成されており、このため、上側端面９ｂにおける上部外側傾斜面９ｅは、枢支ピン１３ｂを円中心とし、所定の半径に設定された円弧面に形成されている。一方、外側面９ａの下端部であって、下側端面９ｃにおける外側端縁部（凹部外側傾斜面９ｊの下端縁部）と枢支ピン１３ｂとの距離は、それぞれ前記上部外側傾斜面９ｅの半径に、第一気密シート１４の自然状態におけるシート厚を加えた長さよりも長くなるように設定されている。これによって、上側端面９ｂの揺動変姿の過程で、下側端面９ｃの外側端縁部が上部外側傾斜面９ｅに貼着された第一気密シート１４に干渉することがないように構成されている。
【００１８】
そして、屈曲姿勢のパネル体３同士が直線姿勢に揺動変姿する場合に、上側パネル体３の外側面９ａの下端部（下側端面９ｃにおける外側端縁部）は、図６（Ａ）に示すように、下側パネル体３の上側端面９ｂの頂部９ｇの上方に位置する状態から、図６（Ｂ）、（Ｃ）に示すように、上部外側傾斜面９ｅに沿って下方揺動することになるが、このとき、外側面９ａの下端部は、前述したように、第一気密シート１４に干渉することがなく、第一気密シート１４が外側面９ａの下端部に擦られて剥離するような不具合がないように構成されている。さらに、このものでは、第一気密シート１４は、上側端面９ｂの頂部９ｇを跨いで上部外側傾斜面９ｅと内側傾斜面９ｈとに一帯に貼着されているので、一層剥離されにくく、確りと貼着された状態が維持されるように構成されている。
このように、垂直レール４ａに繰出されて屈曲姿勢から直線姿勢となった状態では、上下のパネル体３の縦框１２同士が当接することにより上下のパネル体３の位置決めがなされるが、このとき、下側端面９ｃの凹部底面９ｍと上側端面９ｂの頂部９ｇとの距離は前記第一気密シート１４のシート厚より短い寸法に設定されている。そして、左右の第一気密シート１４は、ワイヤ５ｂが連結された連結部材３ｃの配設部位の直上となる部位に位置して設けられていて、ワイヤ５ｂによる吊持力（ドア体２の自重）を最も強く受ける左右両端部にそれぞれ設けられている。これによって、直線姿勢となることに伴い、第一、第二気密シート１４、１５がワイヤ５ｂの吊持力を受け、第一気密シート１４は凹部底面９ｍと頂部９ｇ、凹部外側傾斜面９ｊと上部外側傾斜面９ｅとの間で強く押し潰されて変形し、第二気密シート１５は凹部外側傾斜面９ｊの下端部と下部外側傾斜面９ｆとの間で強く押し潰されて変形し、これによって、上、下側端面９ｂ、９ｃの間の左右両端部に形成される隙間が塞がれて、該左右両端部における断熱性能を一層効果的に高めるように構成されている。
【００１９】
尚、図５（Ａ）は、ドア体２（パネル体３）の端部における封止状態を説明する平面断面図であり、躯体Ｂの左右両側部とパネル体３の表側面９ａとの間は、躯体Ｂ側に固定される第一、第二気密材１６、１７により封止されている。また、図５（Ｂ）は、ドア体２の上端部と開口部を構成する躯体Ｂの上側部との封止状態を説明する側面断面図であり、躯体Ｂとドア体３の表側面９ａとの間は、最上端に位置する最上端パネル体３ｄの上端部に固定される第三気密材１８と、躯体Ｂ側に固定される第四、第五気密材１９、２０により封止されており、これによって、断熱性のよい開閉装置１となっている。
【００２０】
叙述の如く構成された本形態において、複数のパネル体３を揺動自在に連結したドア体２が、Ｒ状レール４ｃを備えたガイドレール４に沿って移動自在に走行することで、開口部を開閉するよう構成されたオーバーヘッド式の建築用開閉装置１において、各パネル体３同士は、上側端面９ｂである係合突部と下側端面９ｃである係合凹部との凹凸係合により、板厚方向のガタつき防止がなされるとともに、パネル体３の間に指挟みされることのないドア体２となっている。そしてこのものにおいて、隣接するパネル体３の上、下側端面９ｂ、９ｃ同士からなる連結部には、揺動変姿を円滑にするための隙間や指挟み防止のための隙間が左右方向貫通状に形成されているが、該隙間は、ドア体２（パネル体３）が垂直レール４ａに位置する全閉姿勢となることに伴い、上側端面９ｂに配された封止部材１１による封止がなされて、前記隙間の内外方向における封止がなされる。さらに、各パネル体３の上、下側端面９ｂ、９ｃのあいだには、左右両端部に位置して第一、第二気密シート１４、１５が設けられ、左右方向に貫通する隙間の左右両端部が封止されている。これによって、ドア体２のパネル体３連結部において、封止部材１１による内外方向の封止とともに、左右両端部における隙間の封止がなされて、ドア体２の内外空間に対する気密性を左右方向一帯にわたって高めることができ、優れた断熱性能を備えたドア体２とすることができる。
【００２１】
このように、本発明が実施されたものにあっては、隣接するパネル体３同士の連結部には、屈曲姿勢と直線姿勢とに揺動変姿自在な構成とするための隙間等、左右方向に貫通する隙間が形成され、該隙間の左右端部を、第一、第二気密シート１４、１５により塞ぐことにより、優れた断熱性能を備えたドア体２となっているが、さらにこのものでは、ドア体２の左右両端部を開口部上方に設けたワイヤドラム５ａから引出されたワイヤ５ｂにより吊持する構成とし、該ワイヤ５ｂによる吊持力を最も受けることができる左右両端部に第一、第二気密シート１４、１５が設けられているので、該吊持力受けて第一、第二気密シート１４、１５が弾性変形することにより、前記隙間が確実に塞がれて気密性の一層の向上が図れるとともに、第一、第二気密シート１４、１５を左右両端部のみに設けたものでありながら、隣接するパネル体３同士の連結部における左右方向中間部が浮いてしまうような不具合がないようにできる。
【００２２】
さらに、このものにあっては、パネル体３同士の揺動変姿の過程で、第一気密シート１４が凹部外側傾斜面９ｊに近接対向して、凹部外側傾斜面９ｊの下端部が気密シート１４を擦るようなことも想定されるが、気密シート１４は、上部外側傾斜面９ｅだけでなく、頂部９ｇを越えて内側傾斜面９ｈに至る部位に一体化されているので、気密シート１４が剥離されにくく、上側端面９ｂに確りと貼着された状態を維持することができる。
【００２３】
尚、本発明は前記実施の形態に限定されないことは勿論であって、図７に示す第二の実施の形態のようにすることもできる。
第二の実施の形態のパネル体２１は、前記第一の実施の形態のものと同様の構成であり、内外一対の面板２２、２３を用いて構成されており、外面板２３に上側端面２３ａと、図示しない下側端面とが形成されている。そして、このものにおいて、上側端面２３ａには、上部外側傾斜面２３ｂと下部外側傾斜面２３ｃとの間に封止部材１１を保持する嵌合溝部２３ｄが左右方向貫通状に形成されていることも前記第一の実施の形態と同様であるが、本実施の形態で用いられる気密部材は、左右両端部における上、下部外側傾斜面２３ｂ、２３ｃ、さらには、内側傾斜面２３ｅの上方部位をそれぞれ一帯に覆う気密シート２４により構成されている。このため、封止部材２５は、左右の気密シート２４の間に位置する嵌合溝部２３ｄに設けられている。そして、この様にした場合に、上下方向に隣接するパネル体２１同士の連結部に形成される隙間は、封止部材２５により内外の封止がなされ、気密シート２４により左右両端部の隙間が閉鎖されて、断熱性の向上を果すことができる。
【００２４】
また、図８に示す第三の実施の形態のようにすることもできる。
第三の実施の形態は、前記第二の実施の形態と同様のパネル体２１を用いて構成されているが、気密シート２６は、上下の連結部の機能に合わせた形状となっている。
つまり、気密シート２６は、左右両端部における上、下部外側傾斜面２３ｂ、２３ｃから内側傾斜面２３ｅの一帯にわたるように設けられるとともに、気密シート２６は、下端部ほど左右方向内方に向けて延出する状態で幅広となり、上側端面２３ａの頂部２３ｆにおいては左右方向外方に偏寄する状態で最も幅狭になるように裁断されている。これは、図８（Ｂ）に示すように、隣接するパネル体２１の直線姿勢において、係合突部を構成する上側端面２３ａの頂部２３ｆから離れて突出基端側ほど、これに対向する下側端面２３ｇの板厚が薄くなり、その分、断熱性能が劣ることに起因しており、気密シート２６の左右幅を左右方向内方に向けて長くすることで、低下した断熱性能を補うように構成されている。そして、このようにした場合でも、高温側の面に結露等の断熱低下の現象がみられず、断熱効果が得られていることが実証された。尚、図８（Ａ）は、気密シート２６の二点鎖線部分は、上側端面２３ａの内側面に貼着される部位であって、気密シート２６を展開した状態が示されている。
【図面の簡単な説明】
【００２５】
【図１】建築用開閉装置の一部を切り欠いた正面図である。
【図２】建築用開閉装置の一部を切り欠いた側面図である。
【図３】図３（Ａ）、（Ｂ）はそれぞれパネル体の正面図、図３（Ａ）におけるＸ−Ｘ断面図である。
【図４】パネル体同士の直線姿勢を説明する要部拡大側面断面図である。
【図５】図５（Ａ）、（Ｂ）はそれぞれ建築用開閉装置の一部平面断面図、一部側面断面図である。
【図６】図６（Ａ）、（Ｂ）、（Ｃ）はそれぞれパネル体同士の屈曲姿勢を説明する要部拡大側面断面図である。
【図７】図７（Ａ）、（Ｂ）はそれぞれ第二の実施の形態におけるパネル体の要部正面図、要部の側面断面図である。
【図８】図８（Ａ）、（Ｂ）はそれぞれ第三の実施の形態におけるパネル体の要部正面図、要部の側面断面図である。
【符号の説明】
【００２６】
１    建築用開閉装置
２    ドア体
３    パネル体
４    ガイドレール
５    回転軸
７    バランス弾機
８    内面板
８ａ    内側面
９    外面板
９ａ    外側面
９ｂ    上側端面
９ｃ    下側端面
９ｅ    上部外側傾斜面
１１    封止部材
１３    丁番
１４    第一気密シート
１５    第二気密シート
【図１】
2010047900.tif 000003
【図２】
2010047900.tif 000004
【図３】
2010047900.tif 000005
【図４】
2010047900.tif 000006
【図５】
2010047900.tif 000007
【図６】
2010047900.tif 000008
【図７】
2010047900.tif 000009
【図８】
2010047900.tif 000010